(57)【要約】【課題】  複数枚のカードを厚さ方向に並列させて収納、保管し、１枚のアクセス対象カードに対してデータの読み書きを行うにあたり、隣接するアクセス非対象カードに対してはアクセスが確実に行われないようにして信頼性を向上させる。【解決手段】  アクセス対象カードが収納されたアクセス対象カードケース１００がアンテナヘッド５００に対してアクセスする位置にある時、少なくとも、そのアクセス対象カードケース１００と、該アクセス対象カードケース１００に隣接するアクセス非対象カードケース１００との間隔を、アンテナヘッド５００のアクセス可能範囲を超える距離に設定する。具体的には、複数のカードケース１００を、上記アクセス可能範囲を超える距離をおいて配列する。【選択図】      図２２
2006236274.tif 000002
【特許請求の範囲】
【請求項１】
カード挿入口と、
このカード挿入口から挿入されたカードを受けるとともに、複数枚のカードを、厚さ方向に並列する状態で１枚ずつ収納し、かつ、その並列方向に移動可能に設けられた複数のカードケースと、
これらカードケース内に収納されたカードのうちの１枚のカードに対して、データのアクセスすなわち読み取りまたは書き込みのうちの少なくとも一方を行い、かつ、そのアクセス可能範囲が限定されているヘッドとを備えたカード処理装置において、
前記ヘッドがアクセスする対象カードが収納されたアクセス対象カードケースが前記ヘッドに対してアクセス位置にある時、少なくとも、そのアクセス対象カードケースと、該アクセス対象カードケースに隣接するカードケースとの間隔が、前記ヘッドのアクセス可能範囲を超える距離に設定されることを特徴とするカード処理装置。
【請求項２】
前記ヘッドは、前記複数のカードケースの並列方向の一方側に固定されており、各カードケースには、ヘッド方向に移動した際に、カードを収納しない状態のカードケースにヘッドが通過して、各カードケース内に収納されるカードのいずれにもヘッドをアクセス可能とする孔が形成されていることを特徴とする請求項１に記載のカード処理装置。
【請求項３】
前記複数のカードケースは、前記アクセス可能範囲を超える間隔をおいて配列されるとともに、その配列状態がカードケースマガジンに一体に支持され、さらに、このカードケースマガジンごと、カードケースの並列方向に移動可能とされていることを特徴とする請求項１または２に記載のカード処理装置。
【請求項４】
前記カードケースの前記ヘッドに対するアクセス位置は、その厚さ方向においては、前記カード挿入口からカードを受ける位置であることを特徴とする請求項１〜３のいずれかに記載のカード処理装置。
【請求項５】
前記カードケースは、前記カード挿入口から挿入されたカードを受けて収納し、その状態で、収納カードに対して前記ヘッドのアクセスが行われるアクセス位置と、このアクセス位置の奥側に設定された保管位置との間を移動可能とされ、
前記アクセス非対象カードケースは、全て前記保管位置に格納されることを特徴とする請求項１〜４のいずれかに記載のカード処理装置。
【発明の詳細な説明】
【技術分野】
【０００１】
本発明は、データ記録用のカードを複数枚保管するとともに、それらカードに対してアクセスしてデータの読み取りや書き込みを行うカード処理装置に関する。
【背景技術】
【０００２】
近年、利用可能金額やサービスポイント等の様々なデータが、カードリーダ・ライタ等のカード処理装置によって読み込まれたり書き込まれたりする磁気カードやＩＣカードが普及している。例えば遊技場等においては、利用可能な金額や入出金、あるいはサービス利用の履歴等のデータを記録するための媒体として採用されている。
【０００３】
ところで、従来のカード処理装置の中には、複数枚のカードを保管する構造のものがある。例えば、特許文献１には、先に投入したカードと後に投入したカードとを、両者が重ならないように移動させる可動式のカード保留ガイドを設けたカードリーダ・ライタが記載されている。また、特許文献２には、複数枚のカードを１列に並べてストックするカード通行路を設け、そのカード通行路上を複数枚のカードが一列に並んで移動する構成のカードリーダ・ライタが記載されている。
【０００４】
【特許文献１】実開平２−１３３７６４号公報
【特許文献２】特開２００３−１６２６９０号公報
【発明の開示】
【発明が解決しようとする課題】
【０００５】
しかしながら、上記従来の各装置では、挿入されたカードを挿入方向へ順に移動させて収納する構造であることから、複数枚のカードを保管するには、カードの長手方向に複数枚分のスペースを確保しなければならなかった。したがって、装置が大型化してしまい、特に、カード挿入方向の設置スペースに制約のある機器に搭載するには適さない構造であり、また、カードの保管枚数も自ずと制限されるものであった。
【０００６】
そこで、複数枚のカードを厚さ方向に並列する状態に保管すれば、装置の大幅な小型化および保管枚数の増大が図られ、上記問題は解決するであろう。ところが、このような保管構造では、隣接するカード間の距離が短くなるため、１枚のカードに対してデータの読み書きを行いながら、他のカードに対してはデータの読み書きを行わないといった機能を確実に有するための工夫が求められる。
【０００７】
よって本発明は、複数枚のカードを厚さ方向に並列する状態に収納して保管する構造のカード処理装置において、データを読み込んだり書き込んだりする必要のある１枚のアクセス対象カードに対しては確実にアクセスすることができ、そのアクセス時には、他のアクセス非対象カードに対してはアクセスが確実に行われないようにすることができ、これによって信頼性の高いカード処理を実施することができるカード処理装置を提供することを目的とする。
【課題を解決するための手段】
【０００８】
本発明は、カード挿入口と、このカード挿入口から挿入されたカードを受けるとともに、複数枚のカードを、厚さ方向に並列する状態で１枚ずつ収納し、かつ、その並列方向に移動可能に設けられた複数のカードケースと、これらカードケース内に収納されたカードのうちの１枚のカードに対して、データのアクセスすなわち読み取りまたは書き込みのうちの少なくとも一方を行い、かつ、そのアクセス可能範囲が限定されているヘッドとを備えたカード処理装置において、ヘッドがアクセスする対象カードが収納されたアクセス対象カードケースがヘッドに対してアクセス位置にある時、少なくとも、そのアクセス対象カードケースと、該アクセス対象カードケースに隣接するカードケースとの間隔が、ヘッドのアクセス可能範囲を超える距離に設定されることを特徴としている。
【０００９】
本発明の、カードに対してデータを読み込んだり書き込んだりといったアクセスを行うヘッドは、ＩＣチップであるカードのデータ記録部に対して非接触ながら近接した状態で通信するといった類のものが採用される。このようなヘッドは、通信可能範囲が、例えば１〜２．５ｍｍとされている。したがって、そのアクセス可能範囲内に、アクセスすべきカード以外の非対象カードが存在していると、その非対象カードにまでヘッドがアクセスしてしまい、無用なデータの読み書きがなされてしまう。
【００１０】
本発明では、アクセスすべき１枚のカードに対してヘッドがアクセスする時、その対象カードを収納するアクセス対象カードケースと、アクセス不要の非対象カードを収納するアクセス非対象カードケースとの間隔が、ヘッドのアクセス可能範囲を超える距離に設定されるので、非対象カードに対してヘッドはアクセス不可能である。このため、非対象カードに対して無用なデータの読み書きは起こらず、また、対象カードに対しては的確にデータの読み書きが行われる。
【００１１】
本発明のカードケースは、収納するカードの厚さ方向に並列され、かつ、並列方向に移動可能とされており、これら全てのカードケース内に収納されたカードに対してヘッドがアクセス可能とするには、ヘッドを、複数のカードケースの並列方向の一方側に固定し、各カードケースに、ヘッド方向に移動した際に、カードが収納されていないカードケースにヘッドが通過して、各カードケース内に収納されるカードのいずれにもヘッドをアクセス可能とする孔を形成した形態が挙げられる。
【００１２】
カードケースは、それぞれが独立して移動する形態でもよく、また、一括して支持され、全てが一体的に移動する形態も考えられる。前者の場合、配列された複数のカードケースの間隔は任意となるが、本発明では、少なくともヘッドがアクセスする対象カードが収納されたアクセス対象カードケースがヘッドに対してアクセス位置にある時、そのアクセス対象カードケースに隣接するカードケースが、アクセス対象カードケースから、ヘッドのアクセス可能範囲を超える位置にあることが条件となる。
【００１３】
また、後者の一括して支持される場合は、複数のカードケースはヘッドのアクセス可能範囲を超える間隔をおいて配列されるとともに、その配列状態がカードケースマガジンに一体に支持され、さらに、このカードケースマガジンごと、カードケースの並列方向に移動可能とされる形態が挙げられる。
【００１４】
上記の他に本発明の具体的な構成としては、カードケースのヘッドに対するアクセス位置が、その厚さ方向においては、カード挿入口からカードを受ける位置とする形態が挙げられる。
【００１５】
また、この形態に加えて、カードケースは、カード挿入口から挿入されたカードを受けて収納し、その状態で、収納カードに対してヘッドのアクセスが行われるアクセス位置と、このアクセス位置の奥側に設定された保管位置との間を移動可能とされ、その時には、他のアクセス非対象カードケースの全ては保管位置に格納される形態も挙げられる。この形態では、アクセス対象カードケースのみが、他のアクセス非対象カードから、カードの面方向であってカード挿入口側にずれた状態となるので、アクセス不要な非対象カードからヘッドがアクセス可能範囲よりもさらに遠くに位置し、無用な読み書きが一層確実に防止される。
【発明の効果】
【００１６】
本発明によれば、複数枚のカードを厚さ方向に並列する状態に収納して保管する構造のカード処理装置において、データを読み込んだり書き込んだりする必要のある１枚のアクセス対象カードに対しては確実にアクセスすることができ、そのアクセス時には、他のアクセス非対象カードに対してはアクセスが確実に行われないようにすることができ、これによって信頼性の高いカード処理を行うことができるといった効果を奏する。
【発明を実施するための最良の形態】
【００１７】
以下、図面を参照して本発明の一実施形態に係るカード処理装置を、構成および基本動作、動作の具体例、効果の順に説明する。
［１］カード処理装置の構成および基本動作
図１は、一実施形態に係るカード処理装置の全体を示す斜視図であり、図２および図３は、該装置の内部構造を示している。このカード処理装置は、例えば、パチンコホールに設備される多数のパチンコ台の間の台間機に好適に搭載されるものであるが、このような用途に限定されるものではない。
【００１８】
図１〜図３の符号１０は、本装置の主たる外装材であるフレームである。このフレーム１０の一端面には、フロントカバー２０が着脱自在に装着されている。このフロントカバー２０には、カードＣが挿入されるカード挿入口２１が形成されている。
【００１９】
このカード処理装置は、カード挿入口２１から１枚ずつ挿入される複数枚のカードＣを厚さ方向に収納して保管するとともに、必要に応じてそれらカードＣに対して所定のデータを読み書きするといった処理を行う。ちなみに、図２はカードＣを保管している状態、図３はカードＣが無い状態を、それぞれ示している。
【００２０】
本装置では、一般的に汎用されているいわゆるカードサイズ（５４×８６ｍｍ、厚さ０．８ｍｍ程度）のカードであって、データ記録用のＩＣチップが所定位置に搭載されたＩＣカードを処理対象としており、最多保管枚数は６枚である。
【００２１】
ＩＣチップに対しては、ＲＦＩＤ（Radio Frequency Identification）システムによってデータが読み書きされるようになっており、カードＣと、データを読み書きするために本装置に搭載されたアンテナヘッド５００（図２や図２２に示す）は、そのシステムに適合するものが用いられる。カードＣのＩＣチップＴにアクセスしてデータを読み書きするアンテナヘッド５００は、非接触式で、アクセス可能範囲が、１〜２．５ｍｍの範囲のものが用いられる。
【００２２】
さて、上記フレーム１０は、図３に示すように前面および一方の側面が開口するフレーム本体１１と、側面の開口を塞ぐ平板状のサイドカバー１２とにより構成されている。
【００２３】
本装置は、ユーザーがフロントカバー２０に対面するように設置される。そこで、以下の説明における左右、前後、上下といった方向は、特に注釈しない限り、ユーザーの視点から見た方向に基づくものとする。すなわち、フロントカバー２０はフレーム１０の前面に装着されている。また、サイドカバー１２は、フレーム本体１１の左側に固定されている。図２および図３は、サイドカバー１２を外した状態を左方から見た側面図である。
【００２４】
フレーム１０は、左右方向の寸法すなわち幅が比較的薄い直方体状で、その前部に装着されたフロントカバー２０に形成された上記カード挿入口２１は、上下方向に延びるスリット状である。カードＣは、長手方向を前後方向（図１で右左方向）にして、ＩＣチップＴを右側に向けて立てた横長起立の姿勢で、カード挿入口２１からフレーム１０内に対し前後方向に抜き差しされる。カード挿入口２１は、その姿勢の１枚のカードＣしかフレーム１０内に挿入を許容しない寸法に設定されている。
【００２５】
フロントカバー２０の正面には、カード挿入口２１の上下方向の中央部分を左右方向に横断する凹部２２が形成されている。この凹部２２は、図２に示すように横から見て上下対称の台形状であり、この凹部２２によって、カード挿入口２１からカードＣをフレーム１０内に挿入しやすく、また、フレーム１０内から出てきたカードＣを掴みやすくなっている。
【００２６】
図２に示すように、フレーム１０内には、カード挿入口２１から挿入されたカードＣを受けて１枚ずつ収納するカードケース１００と、このカードケース１００を一括して支持するカードケースマガジン（以下、マガジンと略称する）２００と、カードケース１００をマガジン２００内において個々に前後方向に移動させる前後移動機構３００と、全てのカードケース１００をマガジン２００ごと左右方向に移動させる左右移動機構４００と、上記アンテナヘッド５００と、制御ユニット６００と、これらに付随する各種機構が装備されており、以下、これらについて説明していく。
【００２７】
（Ａ）カードケース
カードケース１００は、カード挿入口２１から挿入された１枚のカードＣを受けて収納、保管するものであり、本装置では、カードＣの最多保管枚数である６個を具備する。このカードケース１００は、図４〜図６に示すように、ケースプレート１１０と、上下一対のカードガイド１２０，１３０と、カードシャッタ１４０とを有している。なお、図４〜図６は、フレーム１０内に収まった状態での１つのカードケース１００を右側から見ている図であり、左方が装置の前方である。
【００２８】
ケースプレート１１０は、カード挿入口２１から挿入されるカードＣの姿勢に沿うように設置され、その設置状態で前後方向に長い長方形状の平らな板であり、その大きさは、カードＣよりも一回り大きい。
【００２９】
ケースプレート１１０の前部には、カード挿入口２１に形成された凹部２２に対応して、この凹部２２よりも上下方向の寸法が大きい台形状の切欠き１１０ａが形成されており、これに伴って、凹部１１０ａの上下には、上側凸部１１１および下側凸部１１２が、それぞれ形成されている。さらに、上側凸部１１１の上方には、上方に突出するガイド片１１１ａが形成されている。また、ケースプレート１１０には、上記アンテナヘッド５００が搭載されたアンテナフレーム５０１（図２や図２２に示す）を通過させるための通過孔１１３が形成されている。
【００３０】
ケースプレート１１０の片面（この場合、右側の面）の上端部および下端部には、前後方向に延び、長さが同一で、互いに平行な細長い上記カードガイド１２０、１３０が、それぞれ配置されている。これらカードガイド１２０，１３０は、カードケース１００にカードＣを収納させるためのスペーサとして機能するもので、その厚さ（左右方向の幅）は両者同一であって、カードの厚さよりも大きく、２．５ｍｍ程度とされている。
【００３１】
上下のカードガイド１２０，１３０のうち、下側カードガイド１３０はケースプレート１１０に固定されている。一方、上側カードガイド１２０は、ケースプレート１１０に対して、前後方向すなわち自身の長手方向に沿って移動可能に取り付けられている。上側カードガイド１２０の前後に離れた２位置には、前後方向に延びる長孔１２１が形成されており、これら長孔１２１が、ケースプレート１１０に形成されたガイド突起１１４に嵌まっている。これによって上側カードガイド１２０は、長孔１２１の長さ分だけ、ガイド突起１１４に導かれて前後方向に移動する。
【００３２】
上下のカードガイド１２０，１３０の間隔は、収納されるカードがぴったり収まる寸法とされ、これらカードガイド１２０，１３０の後端部には、互いに突き合う方向に突出し、挿入されたカードの先端が係合する係合片１２２，１３２が、それぞれ形成されている。また、上下のカードガイド１２０，１３０の前端部の間は、収納されるカードＣの通過を許容する開口１０１とされている。これらカードガイド１２０，１３０の内側が、挿入されるカードＣの収納スペースとされる。
【００３３】
上側カードガイド１２０は、自身とケースプレート１１０とにわたって張られた引っ張りばね１１５により、常に前方に付勢されており、通常は、図６に示すように、上記長孔１２１の後端内面が上記ガイド突起１１４に当たる可動ストロークの前端限で停止している。
【００３４】
この停止位置は、カード挿入口２１からカードＣを受けるカード待ち受け位置であり、ここでの上側カードガイド１２０は、下側カードガイド１３０よりも前方にある。したがって、上側カードガイド１２０の係合片１２２は、図６に示すように、下側カードガイド１３０の係合片１３２よりも前方に位置している。
【００３５】
図４に示すように、上側カードガイド１２０の前端部の上面には、ラック１２３が形成されており、このラック１２３に、上記カードシャッタ１４０に形成されたギヤ１４１が噛み合わされている。カードシャッタ１４０は、回動軸１４２を介してケースプレート１１０の前端上部に回動自在に支持されたアーム部１４３と、このアーム部１４３の前端より、図４〜図６で反時計回り方向に屈曲して延びるシャッタ片１４４とを有するもので、アーム部１４３の後部下面に、回動軸１４２と同心状の上記ギヤ１４１が形成されている。
【００３６】
このカードシャッタ１４０は、ラック１２３にギヤ１４１が噛み合っていることにより、上側カードガイド１２０の前後移動に連動しながら回動軸１４２を支点として回動する。詳しくは、上側カードガイド１２０が前方に移動すると上方（開方向）に回動し、後方に移動すると、下方（閉方向）に回動する。
【００３７】
一方、上側カードガイド１２０の後端部の上面には、若干前方にせり出した係合爪１２４が形成されており、この係合爪１２４には、上側カードガイド１２０を、可動ストロークの後端限であるカード収納位置に保持するロックレバー１５０のロック片１５１が、係合したり離脱したりするようになっている。
【００３８】
図４に示すように、ロックレバー１５０は、回動軸１５２を介してケースプレート１１０の後端上部に回動自在に支持されており、前端部の下部に、上記ロック片１５１が形成されている。また、このロックレバー１５０の上部であって、前端部および後端部には、上方に突出するフラッグ片１５３およびリリース係合片１５４が、それぞれ形成されている。さらに、ロックレバー１５０の後端部であって、回動軸１５２の下側には、下方に延びる強制リリース片１５５が形成されている。
【００３９】
ロックレバー１５０は、リリース係合片１５４とケースプレート１１０とにわたって張られた引っ張りばね１１６により、回動軸１５２を支点として図４〜図６で反時計回りに回動するように付勢されている。
【００４０】
以上がカードケース１００の主な構成であり、このカードケース１００は、上側カードガイド１２０が待ち受け位置にある時には、図６に示すように、ロックレバー１５０は解除の状態となり、ロック片１５１が上側カードガイド１２０の後端部上面の係合爪１２４よりも後方に乗り上げ、係合爪１２４から離脱している。そして、この時には、カードシャッタ１４０は、シャッタ片１４４が開口１０１から上方に退避し、カードケース１００に対するカードＣの抜き差しが可能となる。
【００４１】
図６に示すカード待ち受け状態で、カードＣは、開口１０１から、ケースプレート１１０に沿った状態で上下のカードガイド１２０，１３０間に挿入される。カードＣの全長のほとんどが挿入され、先端が上側カードガイド１２０の係合片１２２に当たった状態から、さらにカードＣが引っ張りばね１１５の力に抗して押されると、上側カードガイド１２０は係合片１２２を介してカードＣで押され、カードＣとともに後方に移動させられる。
【００４２】
そして、上側カードガイド１２０の係合爪１２４がロックレバー１５０のロック片１５１よりも後方に至ると、ロックレバー１５０が図６において反時計回りに回動し、図５に示すように、ロック片１５１が係合爪１２４に係合する。これにより、上側カードガイド１２０は、前方への移動が規制されてカード収納位置に保持される。
【００４３】
上記のカード収納動作において、カードＣが上側カードガイド１２０の係合片１２２に当たってから以降は、上側カードガイド１２０の後方への移動に連動して、カードシャッタ１４０が下方に回動し、図５に示すように、シャッタ片１４４が開口１０１の上方にせり出して、収納されたカードＣの手前側の上端部を押さえる。これによって、収納されたカードＣは前後方向の位置決めがなされるとともに、シャッタ片１４４で開口１０１の上部が塞がれるため、別のカードを収納することが防止される。
【００４４】
なお、本装置のカードシャッタ１４０のシャッタ片１４４には、図６に示すように、収納されるカードＣに当接する端縁側に切れ込み１４４ａが入っており、これによって、その端縁側が、弾性変形する弾性片１４４ｂとして形成されている。実際には、この弾性片１４４ｂが、収納されるカードＣに弾性的に当接する。
【００４５】
カードＣは、この弾性片１４４ｂによって後方に弾性的に押されて、後端が上側カードガイド１２０の係合片１２２に当接する。したがって、カードケース１００内に収納されたカードＣは、前後方向が正確に位置決めされ、これによって、アンテナヘッド５００に対するＩＣチップＴの位置ずれが抑えられて、読み書き精度の向上が図られる。
【００４６】
また、カードケース１００内に収納されたカードＣは、全体がケースプレート１１０に面しており、カードＣの外形の四隅の全てが、ケースプレート１１０で押さえ付けられる状態となる。カードＣは、使用頻度が高かったり、あるいは高熱下におかれたりすると、歪んでしまう場合がある。そのように変形したものであって、ケースプレート１１０によって四隅が押さえ付けられることにより、隣接するカードケース１００内に入り込まず、１つのカードケース１００内にカードＣが収まるようになっている。
【００４７】
上記のようにカードＣがカードケース１００内に収納された状態で、ロックレバー１５０が引っ張りばね１１６に抗して解除方向に回動すると、図６に示すように、ロック片１５１が係合爪１２４から外れ、上側カードガイド１２０は引っ張りばね１１５によって前方に移動し、カード待ち受け位置に戻る。カードシャッタ１４０は、この動作に連動して開き、カードＣは上側カードガイド１２０の係合片１２２に押されて前方に移動させられる。
【００４８】
本実施形態では、ケースプレート１１０に対してカードＣの上下方向を位置決めし、その内側にカードＣを収納させるカードガイドが、上下に分割されたカードガイド１２０，１３０で構成されている。カードガイドとしては、本実施形態における開口１０１のみが切り欠かれたコ字状のものが通常の形状として想定される。しかしながら、このようなコ字状では、変形しやすいために、歪みが生じて、前後に移動中あるいは移動開始時に引っ掛かりやつまずきが生じ、円滑に前後移動しにくい。
【００４９】
しかしながら、本装置では、カードガイドを、いずれも長手方向に延びる上下のカードガイド１２０，１３０に分割するとともに、上側カードガイド１２０のみが前後に動くようにしている。このため、この可動側の上側カードガイド１２０は、ストレスがかからず円滑に移動する。したがって、カードＣの抜き差しが円滑に行われるのである。
【００５０】
上記のように上側カードガイド１２０からロックレバー１５０を離脱させてカードＣを前方に移動させる動作は、後述するカードリリース機構７００によってなされる。
【００５１】
上記構成のカードケース１００は、本装置では６個が１セットとされてマガジン２００に組み込まれ、このカードケース１００によって一括して支持されている。次いで、そのマガジン２００について説明する。
【００５２】
（Ｂ）マガジン
図７の（ａ）は６個のカードケース１００が組み込まれたマガジン２００の平面図、（ｂ）は右側から見た側面図である。また、図７の（ｃ）は（ａ）の７ｃ矢視図、図７（ｄ）は（ａ）の７ｄ矢視図である。このマガジン２００は、カードケース１００のケースプレート１１０がほぼ覆われる程度の大きさを有する左右一対のサイドプレート２１０によって全体の外形が形成されている。
【００５３】
左右のサイドプレート２１０は、両者の間であって、上端中央部、下端後部および下端前部の３箇所に配された略直方体状のキャリッジガイド２２０、同じく略直方体状のガイドラック２３０および円筒状のマガジンステー２４０を介して、所定の間隔をおいて互いに平行に対向する状態に取り付けられている。
【００５４】
キャリッジガイド２２０の下面における前後の端部には、それぞれ凸部２２１，２２２が形成されており、これら凸部２２１，２２２には、下方および前後方向に開放する６つのガイド溝２２１ａ，２２２ａが、左右方向に並列して形成されている。
【００５５】
また、ガイドラック２３０の上面前端部には凸部２３１が形成されており、この凸部２３１には、上方および前後方向に開放する６つのガイド溝２３１ａが、左右方向に並列して形成されている。円筒状のマガジンステー２４０は、軸線が左右方向に延びており、その周面には、周溝である６つのガイド溝２４０ａが形成されている。
【００５６】
６個の上記カードケース１００は、上下のカードガイド１２０，１３０が配された側が右側に向けられるとともに、両者の間の開口１０１が手前側に向けられた横長起立の姿勢で、ケースプレート１１０の上記各ガイド溝２２１ａ，２２２ａ，２３１ａ，２４０ａに対応する縁部が、これらガイド溝に、前後方向に摺動可能に嵌め込まれている。
【００５７】
これにより、各カードケース１００は、ケースプレート１１０の厚さ方向に平行に配列され、かつ、各ガイド溝２２１ａ，２２２ａ，２３１ａ，２４０ａに沿って、個々が独立して前後方向に移動可能な状態に、マガジン２００内に収納されている。なお、左右のサイドプレート２１０には、各ケースプレート１１０の通過孔１１３と同様の通過孔２１１が形成されている。
【００５８】
各カードケース１００においては、上下のカードガイド１２０，１３０の内側であるカードＣの収納スペースは、カードケース１００が単体ではケースプレート１１０の反対側が開放しているが、マガジン２００内に収納された状態では、その開放側（右側）は、隣接するカードケース１００のケースプレート１１０が隣接する。したがって、カードＣは、ケースプレート１１０および上下のカードガイド１２０，１３０と、該カードケース１００の右側に隣接するカードケース１００のケースプレート１１０とによって囲まれたスペースに収納される。
【００５９】
なお、最も右側に配されるカードケース１００においては、右側の開放スペースは右側のサイドプレート２１０が隣接しており、この右側のサイドプレート２１０によってカード収納スペースが画成される。各カードケース１００の上下のカードガイド１２０，１３０は、隣接するケースプレート１１０（最も右側のカードケース１００では右側のサイドプレート２１０）に対して僅かに離間するか、あるいは摺動する状態に配列されている。
【００６０】
具体的には、上下のカードガイド１２０，１３０の幅は、前述したように２．５ｍｍ程度であり、隣接するケースプレート１１０の間隔は３ｍｍ程度とされ、カードＣの収納スペースの幅は、２．５ｍｍ程度とされる。
【００６１】
各カードケース１００のケースプレート１１０が、各ガイド溝２２１ａ，２２２ａ，２３１ａ，２４０ａに摺動可能に嵌入されている部分を、図５および図８（ａ）によって説明する。
【００６２】
キャリッジガイド２２０の前側ガイド溝２２１ａには、ケースプレート１１０の上端縁の、中央部分から前側に延びる直線部分（図５の＊２２１ａで示す部分）が嵌入され、この部分よりも高く、中央部分から後側に延びる直線部分（図５の＊２２２ａで示す部分）が、後側ガイド溝２２２ａに嵌入されている。また、ガイドラック２３０のガイド溝２３１ａには、ケースプレート１１０の下端縁の後端部分であって、下側カードガイド１３０から僅かに下方に突出する直線部分（図５の＊２３１ａで示す部分）が嵌入されている。
【００６３】
マガジンステー２４０のガイド溝２４０ａには、ケースプレート１１０の下端縁の前部に形成された台形状の切欠き１１７の上側の縁部であって、下側カードガイド１３０から僅かに下方に突出する直線部分（図５の＊２４０ａで示す部分）が嵌入されている。
【００６４】
また、図５に示すように、ケースプレート１１０の下側カードガイド１３０から下方に突出する端縁であって、切欠き１１７と直線部分＊２３１ａとの間の所定箇所には、長方形状の切欠き１１８が形成されている。この切欠き１１８の前後の端縁は、後述する前後移動機構３００によってカードケース１００を前後移動させるために利用される前側係合部１１８ａおよび後側係合部１１８ｂとなっている。
【００６５】
上記のように６個のカードケース１００を前後方向に移動可能に支持したマガジン２００は、図８に示すように、フレーム本体１１に固定された２本のガイドシャフト１３，１４を介して、フレーム１０内に、左右方向に移動可能に支持されている。
【００６６】
これらガイドシャフト１３，１４は、それぞれ、キャリッジガイド２２０の前端部、ガイドラック２３０の中央やや後部を左右方向に貫通しており、マガジン２００は、これらガイドシャフト１３，１４に沿って左右方向に摺動する。
【００６７】
以下の説明で、マガジン２００内に収納された６個のカードケース１００を、必要に応じて、左側から順に１番〜６番のカードケース１００Ａ〜１００Ｆと付す。また、これに応じて、カードケース１００Ａ〜１００Ｆのケースプレート１１０を、必要に応じて１１０ａ〜１１０ｆと付す。
【００６８】
マガジン２００は、後述する左右移動機構４００によって、１番カードケース１００Ａから６番カードケース１００Ｆがカード挿入口２１に対応する位置に順次配されるように、左右方向に往復移動させられる。カードケース１００がカード挿入口２１に対応する位置とは、そのカードケース１００の開口１０１が、幅方向においてカード挿入口２１に一致する位置を言う。以下、カードケース１００がカード挿入口２１に対応する位置に配されたことを、カードケース１００がカード挿入口２１に配置されたと言う場合がある。
【００６９】
カードケース１００がカード挿入口２１に配置された状態において、そのカードケース１００は、カード挿入口２１からカードＣが挿入、収納され、かつ、アンテナヘッド５００によりデータが読み書きされるアクセス位置と、そこから後方に所定距離移動した保管位置との２位置の間を、前後移動させられる。
【００７０】
本装置では、全てのカードケース１００が保管位置にある時のみマガジン２００が左右移動するようになされており、言い換えると、カードケース１００がアクセス位置にある時には、マガジン２００は左右移動が不可能となっている。そして、アクセス位置にあるカードケース１００に対してのみ、カード挿入口２１からカードＣの抜き差しが行える。次に、カード挿入口２１に配置されたカードケース１００を前後移動させる前後移動機構３００と、マガジン２００を左右移動させる左右移動機構４００とを、順に説明する。
【００７１】
（Ｃ）前後移動機構
前後移動機構３００は、図２および図３に示すように、マガジン２００の下方に配され、フレーム１０の底部に取り付けられている。該機構３００は、図９〜図１１にも示すように、ＤＣモータ３１０と、このＤＣモータ３１０の回転が入力され、その回転速度を減速させる複数のギヤからなる減速ギヤ群３２０と、この減速ギヤ群３２０の最終段ギヤ３２１の上端面に同軸的に固定されたカムディスク３２２と、スライド軸３２３に沿って前後方向に摺動自在に設けられたスライダ３２４と、カムディスク３２２とスライダ３２４とを連結し、カムディスク３２２が１回転する間にスライダ３２４を１往復させるカムピン３２５と、カムディスク３２２の回転量を検出する図示せぬカードケース前後移動量センサとを備えている。
【００７２】
図９（ａ）に示すように、カムディスク３２２の上面には、所定形状に歪んだ環状のカム溝３２２ａが形成されており、このカム溝３２２ａに、スライダ３２４の後端部の下面に突出形成された上記カムピン３２５が摺動可能に嵌入されている。また、スライダ３２４の後端部の上面には凸部３２６が形成されており、この凸部３２６は、図９（ｃ）に示すように、ケースプレート１１０の下端縁に形成された上記切欠き１１８内に配されている。
【００７３】
図９（ｂ）および図１１に示すように、凸部３２６の幅方向やや右寄りには、上方および前後方向に開放するスリット３２６ａが形成されており、このスリット３２６ａにより、凸部３２６は、左側の押し片３２７と、これよりも幅が小さい右側の通過片３２８とに分けられる。凸部３２６は、前後方向の長さが切欠き１１８のそれよりも短く、切欠き１１８に対して遊びが存在する状態で嵌まっている。
【００７４】
図９（ｂ）に示すように、押し片３２７の幅は、１枚のケースプレート１１０を間に挟んだ２枚のケースプレート１１０の間隔よりもある程度小さく、通過片３２８の幅は、隣接する２枚のケースプレート１１０の間隔よりも僅かに小さい。また、スリット３２６ａの幅は、ケースプレート１１０が嵌まり込むことができる範囲で、できるだけ小さく設定されている。
【００７５】
上記前後移動機構３００によれば、ＤＣモータ３１０が駆動すると、その回転が、減速ギヤ群３２０を経てカムディスク３２２に伝わり、カムディスク３２２が旋回するに連れて、カムピン３２５がカム溝３２２ａに導かれて前後方向に移動し、これによってスライダ３２４が前後方向に移動し、ケースプレート１１０を介してカードケース１００を前後に移動させる。
【００７６】
その動作を、図９および図１０により詳述する。ここでは、カードケース１００Ｂを前後移動させるものとする。図９では、全てのカードケース１００が保管位置にあり、この時、スライダ３２４は、凸部３２６の前後端が、いずれも切欠き１１８の前後の係合部１１８ａ，１１８ｂから離れた中立位置にある。そして、ＤＣモータ３１０の駆動によってカムディスク３２２が一方向（図９（ａ）でＰ方向）に回転すると、同方向に回転するカム溝３２２ａを摺動することによりカムピン３２５が前方に導かれ、これによって、スライダ３２４が前進する。
【００７７】
スライダ３２４が前進すると、図１０に示すように、前後移動させる対象のカードケース１００Ｂにおけるケースプレート１１０ｂの前側係合部１１８ａに、凸部３２６の押し片３２７が当たり、ケースプレート１１０ｂが押し片３２７によって前方に押される。その時、凸部３２６のスリット３２６ａには、右隣りのケースプレート１１０ｃの下端縁が嵌まり込み、かつ、通過片３２８は、そのケースプレート１１０ｃと、さらにもう１つ右隣りのケースプレート１１０ｄとの間を通る。これにより、１枚のカードケース１００Ｂのみが前進する。スリット３２６ａの前側の開口は、ケースプレート１１０に入りやすいように、テーパ状に広がっている。
【００７８】
次いで、このようにスライダ３２４によって前方に押されたケースプレート１１０ｂが、最前方である上記アクセス位置に到達したことが、カードケース前後移動量センサがカムディスク３２２の回転量を検出することにより認められると、その時点でＤＣモータ３１０が停止する。
【００７９】
次に、カードケース１００Ｂを後退させる動作を説明する。ＤＣモータ３１０が駆動して、カムディスク３２２がさらに一方向（Ｐ方向）に回転すると、今度はカム溝３２２ａを摺動するカムピン３２５が後方に移動する。すると、これに伴って後退するスライダ３２４の凸部３２６の押し片３２７が、ケースプレート１１０ｂの後側係合部１１８ｂに当たり、ケースプレート１１０ｂは後方に押され、カードケース１００Ｂは後退していく。
【００８０】
カードケース１００Ｂが最後方に後退した後、カムディスク３２２がさらにＰ方向に回転すると、スライダ３２４は前進する。そして、スライダ３２４が上記中立位置に到達したことが、上記カードケース前後移動量センサによって検出されると、その時点でＤＣモータ３１０が停止する。カードケース１００が最後方に後退した後に、スライダが僅かに前進して凸部３２６が中立位置に戻ることにより、この凸部３２６がケースプレート１１０に干渉せず、マガジン２００の左右移動に支障を招かない。
【００８１】
なお、上記のようにしてカードケース１００を前進させる際、１番カードケース１００Ａから５番カードケース１００Ｅにおいては、凸部３２６のスリット３２６ａには、それぞれのケースプレート１１０の右隣りのケースプレート１１０が嵌まり込むが、６番カードケース１００を前進させる際には、右側のサイドプレート２１０がスリット３２６ａに嵌まり込む。したがって、図８（ａ）に示すように、サイドプレート２１０の下端縁は、カードケース１００と同様に、中立位置の凸部３２６と干渉せずマガジン２００の左右移動を許容させる切欠き２１２を有し、この切欠き２１２の前側部分がスリット３２６ａに嵌まり込むようになされている。
【００８２】
図２に示すように、フレーム本体１１内の上部には、前端部に水平な上側ガイドプレート３１を有するブラケット３０が固定されている。また、フレーム本体１１内の前端下部には、上端部に水平な下側ガイドプレート４１を有する前側ブラケット４０が固定されている。
【００８３】
上記上側ガイドプレート３１には、図１２に示すように、後端縁に開口し、前後方向に延びる所定長さのスリット３１ａが形成されている。そして、上記下側ガイドプレート４１にも、図１３に示すように、同様のスリット４１ａが形成されている。また、下側ガイドプレート４１には、先端がスリット４１ａの奥の部分を横切るアースばね５０が装着されている。アースばね５０は、導電性を有する金属製の板ばねであり、ケース本体１１に接続されている。
【００８４】
カード挿入口２１に配置されたカードケース１００が、保管位置からアクセス位置に前進すると、図１２に示すように、上側ガイドプレート３１のスリット３１ａに、ケースプレート１１０のガイド片１１１ａが摺動しながら嵌入するようになっている。また、これと同時に、下側ガイドプレート４１のスリット４１ａに、ケースプレート１１０の下側凸部１１２の先端部が摺動しながら嵌入し、アースばね５０に当接する。なお、各スリット３１ａ，４１ａの開口は、ケースプレート１１０を導くようにテーパ状に広がっている。
【００８５】
アクセス位置に前進したカードケース１００においては、上記のように、ケースプレート１１０の前端部の上下部分（ガイド片１１１ａと下側凸部１１２）が、それぞれ上下のスリット３１ａ，４１ａに嵌入することにより、左右方向への移動が規制される。
【００８６】
また、図１０（ｂ）に示すように、ケースプレート１１０の前側係合部１１８ａに、凸部３２６の押し片３２７が当接するとともに、スリット３２６ａが右隣りのカードケース１００のケースプレート１１０に嵌まり込むことによって、ケースプレート１１０の前側係合部１１８ａの左右方向への移動が規制される。
【００８７】
したがって、カードケース１００は、前端部の上下２点と、下端部のほぼ中央部分の１点といった、ある程度距離が離れた３点において、左右方向の位置決めがなされた状態となる。これによって、カードケース１００は、開口１０１がカード挿入口２１に正確に対応する位置に配される。その結果、カードＣをカード挿入口２１から挿入させる際に、ケースプレート１１０に当たることなく、円滑にカードケース１００内に収納させることができる
【００８８】
上記のように、ケースプレート１１０の下側凸部１１２がアースばね５０に当接することにより、このアースばね５０を介して、カードケース１００やカードＣが、フレーム本体１１に電気的に接続し、接地される。このため、帯電されようとする電気が常に逃がされ静電気が発生しにくくなる。その結果、電気障害によって、カードＣのデータに損傷を受けたり、アンテナヘッド５００によるデータの読み書きに支障が起きたりといった不具合が未然に防止される。また、アースばね５０は、ケースプレート１１０に弾性的に当接して後方に押すように作用するので、カードケース１００のガタが抑えられるという利点もある。
【００８９】
なお、カードケース１００が当接する上下のガイドプレート３１，４１のうちの少なくとも一方を、導電性を有する金属製とすることにより、上記の接地はそのガイドプレートでなされ、この場合、アースばね５０を不要とすることができる。
【００９０】
前述したように、カードＣは、アクセス位置に前進したカードケース１００に対してのみ、カード挿入口２１から抜き差しされ、さらに、このアクセス位置において、カードケース１００内のカードＣがカードリリース機構７００によって取り出し可能な状態とされる。
【００９１】
カードリリース機構７００は、図２〜図６に示すように、印加時に後退するアクチュエータロッド７１１を備えたソレノイド７１０と、アクチュエータロッド７１１の先端部にピン７２０ａを介して回動可能に連結されたリリースガイド７２０とから構成されている。
【００９２】
リリースガイド７２０は、前後方向に長い直方体状で、上記ブラケット３０に対し、図示せぬレールを介して自身の長手方向に移動自在に支持されている。図４に示すように、リリースガイド７２０は、下方に突出する前後のフック７２１，７２２を有しており、前側フック７２１は、フラッグ片１５３とリリース係合片１５４の間に配され、後側フック７２２は、リリース係合片１５４よりも後方に配されている。
【００９３】
カードリリース機構７００の作用を説明すると、まず、図５に示すように、カードケース１００がアクセス位置にある時、ソレノイド７１０が動作してアクチュエータロッド７１１が後退すると、前側フック７２１が、ロックレバー１５０のリリース係合片１５４に当たり、ロックレバー１５０が後方に引っ張られる。
【００９４】
すると、ロックレバー１５０が図５で時計回りに回動し、図６に示すように、上側カードガイド１２０の係合爪１２４からロック片１５１が外れ、上側カードガイド１２０が引っ張りばね１１５により引っ張られてカード待ち受け位置に前進する。この時、カードケース１００内に収納されていたカードＣは、引っ張りばね１１５の弾性復帰力によって上側カードガイド１２０とともに弾かれ、開口１０１から、ある程度の長さがカード挿入口２１より飛び出してくる。これにより、カードＣを装置外に抜き去ることができる。
【００９５】
上記のようにソレノイド７１０が作動した時、前側フック７２１が、保管位置にあるカードケース１００のロックレバー１５０のリリース係合片１５４に当たらないようにされている。したがって、保管位置にあるカードケース１００内のカードＣは、カードリリース機構７００が作動しても、その作動とは無縁である。
【００９６】
また、本装置では、カード挿入口２１に配置されたカードケース１００が保管位置（アクセス位置の後方）にある時、そのカードケース１００内には、サブシャッタ６０によって、カードＣを挿入することができないようになっている。また、カードケース１００がアクセス位置に前進すると、そのサブシャッタ６０が開いてカードＣを挿入することができるようになっている。そのサブシャッタ６０は、図２に示すように、カード挿入口２１の近傍に設けられている。
【００９７】
このサブシャッタ６０は、図１４（図１４は下から見た図）に示すように、上下方向に延びる回動軸６１に回動自在に支持された円筒部６２と、この円筒部６２から径方向に突出する下側のレバー６３および上側のシャッタ片６４とを備えている。回動軸６１は、図２に示すように、上記前側ブラケット４０に固定されている。
【００９８】
このサブシャッタ６０は、図示せぬばねによって、図１４の反時計回り方向に付勢されている。そして、カードケース１００が保管位置にある時には、図１４（ａ）に示すように、シャッタ片６４がフロントカバー２０に形成された孔２４からカード挿入口２１に出てレバー６３がフロントカバー２０の板部２３に当たることにより、カード挿入口２１の一部を塞ぐ。この状態で、カードケース１００内へのカードＣの挿入は不可能となる。これは、カードＣをシャッタ片６４に押し当てて挿入しようとしても、シャッタ片６４が板部２３に当たってそれ以上の挿入が阻止されるからである。
【００９９】
一方、カードケース１００が保管位置からアクセス位置に前進すると、図１４（ｂ）に示すように、ケースプレート１１０の下側凸部１１２に押されてレバー６３が前方（図１４で右方）に旋回し、シャッタ片６４がカード挿入口２１から退避する。これによって、アクセス位置にあるカードケース１００内へのカードＣの挿入が可能となる。カードケース１００が保管位置に後退すると、サブシャッタ６０は、シャッタ片６４がカード挿入口２１の一部を塞ぐ通常位置に戻る。
【０１００】
また、上記回動軸６１には、カード検出機構７０を構成するカード検出フラッグ７１が旋回自在に支持されている。カード検出機構７０は、アクセス位置にあるカードケース１００内にカードＣがあるか否かを検出するものである。
【０１０１】
カード検出フラッグ７１は、図１５（図１５は下から見た図）に示すように、回動軸６１に旋回自在に支持された上下方向に延びる円柱部７２と、この円柱部７２の上端部からカード挿入口２１方向に突出するフラッグ７３と、円柱部７２の下端部からフラッグ７３と同方向に延びるシャッタプレート７４とを備えている。
【０１０２】
カード検出機構７０は、このカード検出フラッグ７１と、旋回するシャッタプレート７４によって光路が開閉される光センサ式のカードセンサ７５とから構成される。カードセンサ７５は、図示せぬステー等の支持部材を介してフレーム本体１１に固定されている。
【０１０３】
カード検出フラッグ７１は、図示せぬばねによって、図１５（ａ）に示すように、フラッグ７３がフロントカバー２０に形成された孔２５からカード挿入口２１の一部に出る状態に付勢されている。この時、カードセンサ７５はシャッタプレート７４によって光路が塞がれる。カード検出フラッグ７１は、この通常位置から、前後方向に回動させられても、ばねによって通常位置に戻るようになされている。なお、フラッグ７３は、アクセス位置にあるカードＣの前端部の片面（右側の面）が当接する位置に配されている。
【０１０４】
カード挿入口２１からカードＣが挿入されると、カードＣに押されてフラッグ７３が後方（図１５で左方）に旋回し、図１５（ｂ）に示すように、フラッグ７３がカード挿入口２１から退避するとともに、シャッタプレート７４もカードセンサ７５から抜けて光路が通じ、開となる。この状態が、カードＣがカードケース１００内に収納されても保持され、これによって、カードＣが収納されたことが検出される。
【０１０５】
また、上記カードリリース機構７００によって、収納されていたカードＣがカード挿入口２１に飛び出すように排出させられた時には、まだカードＣがカード挿入口２１にあるから、引き続きカードセンサ７５は開である。ここから、ユーザーはカードＣを引き抜いて回収するが、カードＣが無くなったことにより、フラッグ７３は通常位置に戻り、カードセンサ７５は再び閉となる。これによって、アクセス位置にあるカードケース１００内にカードＣは無しと検出される。
【０１０６】
上記カード検出機構７０により、カード挿入口２１からカードＣが挿入されたことは検出されるが、さらに、そのカードＣがカードケース１００内に確実に収納されたか否かが、カードロックセンサ８０によって検出される。
【０１０７】
カードロックセンサ８０は、上記カードセンサ７５と同様の光式であって、図５に示すように、カードケース１００がアクセス位置にある時の、ロックレバー１５０のフラッグ片１５３の上方に配設されている。このカードロックセンサ８０は、図示せぬステー等の支持部材を介してフレーム本体１１に固定されている。
【０１０８】
カードロックセンサ８０には、図６に示すように、上側カードガイド１２０が待ち受け位置にある時に、解除状態のロックレバー１５０のフラッグ片１５３が入り、これによって光路が閉となってカードＣが未収納であることが検出される。
【０１０９】
また、カードＣが収納される、すなわち上側カードガイド１２０がカードＣに押されて後退した状態がロックレバー１５０で保持されると、フラッグ片１５３はカードロックセンサ８０から抜け、光路が開となる。これをもって、カードＣがカードケース１００内に確実に収納されたと検出される。
【０１１０】
前述したように、カードケース１００内に収納されたカードＣは、アクセス位置に順次移動するカードケース１００から、カードリリース機構７００によって１枚ずつ排出される。ところが、例えば、侵入したゴミによってカード詰まりが生じ、アクセス位置にあるカードＣを排出することができなくなると、マガジン２００は左右移動できないから、保管位置にある他のカードＣを排出させることができなくなる。
【０１１１】
そこで本装置では、上記カードリリース機構７００の、アクチュエータロッド７１１とリリースガイド７２０とを連結するピン７２０ａを操作することによって、アクセス位置にあるカードＣを手動で強制的に排出させることができるようになっている。
【０１１２】
このピン７２０ａは左右方向に延びる棒状のもので、リリースガイド７２０から右側に突出する先端部分が、図１に示すように、サイドカバー１２に形成された孔１２ａから外部に突出している。そして、ピン７２０ａを後方に動かすと、リリースガイド７２０が後退して、上記のように上側カードガイド１２０からロックレバー１５０が外れる。これによって、カードＣを強制的に前方に取り出すことができる。なお、そのカードＣを実際に外部に取り出すには、フロントカバー２０を外して行う。
【０１１３】
さらに本装置には、保管されている全てのカードＣを手動で取り出すための強制リリース機構９０を備えている。
【０１１４】
この強制リリース機構９０は、図２に示すように、上記ロックレバー１５０の強制リリース片１５５の後方に配されている。この強制リリース機構９０は、図１６に示すように、後述する左右移動機構４００を構成する連結シャフト４９０に旋回自在に装着されたリリースレバー９１を主体としている。
【０１１５】
連結シャフト４９０は、図８に示すように、フレーム１０の幅方向の中央やや右寄りの位置に配された上下方向に延びるシャフトである。リリースレバー９１は、図１６に示すように、連結シャフト４９０に旋回自在に支持された一端部から左方に延び、その先端部が、図１にも示すように、サイドカバー１２に形成された孔１２ｂから外部に突出している。
【０１１６】
このリリースレバー９１は、ねじりコイルばね９２によって常に後方（図１６で左方）に旋回するように付勢され、先端部が孔１２ｂの後側の縁に当たった状態で停止するようになっている。そして、その前面には、保管位置にあるカードケース１００の、ロックレバー１５０を解除するための横長の凸部９３が形成されている。この凸部９３は、全てのカードケース１００が保管位置にある場合でも、それらカードケース１００に設けられたロックレバー１５０の強制リリース片１５５を一括して前方に押し得る幅を有している。
【０１１７】
上記強制リリース機構９０によれば、サイドカバー１２から出ているリリースレバー９１の先端を前方に動かすと、ロックレバー１５０の強制リリース片１５５が凸部９３によって前方に押され、上記のように上側カードガイド１２０からロックレバー１５０が外れる。これによって、保管されていた全てのカードＣを前方に取り出すことができる。この場合にも、フロントカバー２０を外してカードＣを取り出すことになる。
【０１１８】
図１６および図１７に示すように、リリースレバー９１が前方に旋回させられると、凸部９３は、カードＣを保管している全てのカードケース１００、すなわちカード挿入口２１からサイドカバー１２側にある全てのカードケース１００に対して作用するようになっている。
【０１１９】
ちなみに、図１６は全てのカードケース１００が保管位置にあって、６番カードケース１００がカード挿入口２１に配置されている時の、強制リリース機構９０の動作を示している。また、図１７は１番〜３番カードケース１００が保管位置にあって、３番カードケース１００がカード挿入口２１に配置されている時の、強制リリース機構９０の動作を示している。
【０１２０】
さて、カードケース１００を上記アクセス位置に前進させるには、マガジン２００を左右方向に移動させることによってアクセス対象のカードケース１００をカード挿入口２１の後方に到達させる必要があり、その動作を行う左右移動機構４００を、次に説明する。
【０１２１】
（Ｄ）左右移動機構
図８に示すように、左右移動機構４００は、マガジン２００の上下にそれぞれ配された上下の駆動部４１０，４５０、およびこれら駆動部４１０，４５０を連結する上下方向に延びる連結シャフト４９０の組み合わせで構成されている。
【０１２２】
連結シャフト４９０は、前述したようにマガジン２００の後方に配されており、上端部が上記上側ブラケット３０の後端部に、また、下端部がフレーム本体１１内の底部に固定された下側ブラケット１９に、回転自在に支持されている。
【０１２３】
マガジン２００を左右に移動させるための駆動源を有する下側駆動部４５０から説明すると、該駆動部４５０は、上記前後移動機構３００の後方に配され、フレーム１０の底部に取り付けられている。この下側駆動部４５０は、ステップモータ４６０と、このステップモータ４６０の回転をスリップ機構４７０を介して連結シャフト４９０に伝達するピニオン４８０とを備えている。
【０１２４】
スリップ機構４７０は、図１８に示すように、軸方向中央に鍔部４７１ａが形成され、この鍔部４７１ａの一端側（図１８で左側）がウォーム４７１ｂ、他端側がロッド部４７１ｃとされたスリップガイドギヤ４７１を有している。ロッド部４７１ｃの端部にはスナップリング４７２が固定され、ロッド部４７１ｃの、鍔部４７１ａとスナップリング４７２との間には、鍔部４７１ａ側から順に、環状のスリップギヤ４７３および摩擦パッド４７４、円筒状のスリップサポート４７５、圧縮ばね４７６が装着されている。
【０１２５】
スリップギヤ４７３および摩擦パッド４７４は回転自在にロッド部４７１ｃに装着されており、一方、スリップサポート４７５は、スプライン結合等の手段によって、ロッド部４７１ｃに対し、軸方向に移動可能ながら軸周りには回転不能に装着されている。
【０１２６】
このスリップ機構４７０によれば、スリップギヤ４７３と摩擦パッド４７４が、圧縮ばね４７６のばね圧によって、スリップガイドギヤ４７１の鍔部４７１ａとスリップサポート４７５との間に強い力で挟まれており、したがって、スリップギヤ４７３が摩擦パッド４７４を介してスリップサポートに連結している。この連結状態で、スリップギヤ４７３の回転が、摩擦パッド４７４、スリップサポート４７５を介してスリップガイドギヤ４７１に伝わる。
【０１２７】
そして、上記摩擦力を超える強いトルクがスリップギヤ４７３に伝わって回転すると、スリップギヤ４７３と摩擦パッド４７４との間に滑りが生じる。このため、スリップギヤ４７３は空転し、ステップモータ４６０からスリップガイドギヤ４７１への動力の伝達が遮断される。
【０１２８】
なお、スリップ機構４７０のトルク調整（スリップギヤ４７３が空転し始める時のトルク設定）は、圧縮ばね４７６をばね圧の異なるものに交換することによって適宜に行うことができる。本実施形態では、ステップモータ４６０の最大動力のおよそ半分がスリップギヤ４７３に伝わると、スリップギヤ４７３が空転するように、圧縮ばね４７６のばね圧が調整される。
【０１２９】
上記スリップ機構４７０は、過大なトルクによる高負荷が伝わることによりステップモータ４６０が損傷することを防ぐために設けられている。例えば、外部からの電気的なノイズでステップモータ４６０が暴走したり、カードＣが詰まってマガジン２００を左右移動させることができなくなった場合などに、有効に機能する。
【０１３０】
図８に示すように、ステップモータ４６０の回転は、上記ウォーム４７１ｂから連結シャフト４９０に伝わり、さらに、シャフトギヤ４９１からピニオン４８０に伝わる。このピニオン４８０は、下側ブラケット１９に回転自在に支持されており、上記ガイドラック２３０の後端面に形成されたラック２３２に噛み合わされている。そして、ピニオン４８０が回転すると、その回転方向に応じて、ガイドラック２３０と一体のマガジン２００が左右方向に移動するようになっている。
【０１３１】
次に、上側駆動部４１０は、上記上側ブラケット３０に固定された前後方向に延びるガイドロッド４２０と、このガイドロッド４２０に摺動自在に支持されたスライドカム４３０とを備えている。
【０１３２】
スライドカム４３０は、図１９に示すように、前後方向に延びる細長い長片部４３１と、この長片部４３１の前端部（図１９で右端部）から左方向に突出する矩形板状の短片部４３２とを有する細長い略Ｌ字状のものである。そして、短片部４３２の根本部分に上記ガイドロッド４２０が貫通し、長片部４３１は、フレーム本体１１の内面に接している。スライドカム４３０は、短片部４３２がガイドロッド４２０に沿って摺動し、かつ、長片部４３１がフレーム本体１１の内面に摺動することにより、前後方向に沿って移動自在とされている。
【０１３３】
短片部４３２の下面には、前後方向に対して所定角度（この場合、約４５°）で斜めに延びる互いに平行な一対の壁部４３２ａが形成されており、これら壁部４３２ａ間の溝が、カム溝４３２ｂとして形成されている。そして、このカム溝４３２ｂに、上記キャリッジガイド２２０の上面前部に形成されたカムピン２２３が摺動可能に嵌入されている。また、長片部４３１の後端部の内面（左側の面）には、ラック４３１ａが形成されており、このラック４３１ａに、連結シャフト４９０の上端部に設けられたピニオン４９２が噛み合わされている。
【０１３４】
上側駆動部４１０によると、上記のように下側駆動部４５０が作動して連結シャフト４９０が回転すると、その回転がピニオン４９２からラック４３１ａに伝わり、回転方向に応じてスライドカム４３０が前後方向に移動させられる。スライドカム４３０が前後方向に移動すると、カム溝４３２ｂを摺動するカムピン２２３が左右方向に移動するように導かれ、これによって、キャリッジガイド２２０と一体のマガジン２００が、左右方向に移動するようになっている。
【０１３５】
上記のように、下側駆動部４５０と、これに連動する上側駆動部４１０とが協働することによって、マガジン２００は左右方向に移動させられる。図１９は、マガジンが最も右側に移動した状態を示しており、（ａ）は上側駆動部４１０がマガジン２００に作用する状態、（ｂ）は下側駆動部４５０のピニオン４８０がマガジン２００に作用する状態を、それぞれ示している。図１９の状態から、連結シャフト４９０が反時計回りに回転すると、マガジン２００は左方に移動する。図２０は、マガジン２００が最も左まで移動した状態を示している。
【０１３６】
本実施形態の左右移動機構４００によれば、マガジン２００を左右方向に移動させる駆動部分が、下側駆動部４５０ではガイドラック２３０のラック２３２にピニオン４８０が噛み合う後部であり、上側駆動部４１０ではスライドカム４３０のカム溝４３２ａがキャリッジガイド２２０のカムピン２２３に嵌まり込んでいる前部である。
【０１３７】
すなわち、上下の駆動部４１０，４５０により、マガジン２００は、横から見ると対角線をなす一対の角部近傍を左右に押される形となっている。このため、その駆動力は、マガジン２００全体に均等に作用し、後側だけ、あるいは前側だけというように偏ることがない。その結果、ガイドシャフト１３，１４に沿ってマガジン２００を円滑に左右に移動させることができるようになっている。
【０１３８】
左右移動機構４００によるマガジン２００の左右移動は、各カードケース１００をカード挿入口２１に配置させるためであり、次に、各カードケース１００をカード挿入口２１に正確に対応させるための検出機構を、以下に説明する。
【０１３９】
図８（ａ）、図１９および図２０に示すように、マガジン２００のキャリッジガイド２２０の後端部上方には、第１および第２マガジンセンサ８１０，８２０が、前後・左右にずれた状態に配設されている。これらセンサ８１０，８２０は、上記カード検出機構７０のカードセンサ７５と同じ構造の光センサであり、ここでも、光路が透過する状態を開、光路が遮断された状態を閉と言う。
【０１４０】
第１マガジンセンサ８１０は、マガジン２００が左方向に移動して６番カードケース１００Ｆがカード挿入口２１に対応する位置に来たことを検出するものである。一方、第２マガジンセンサ８２０は、各カードケース１００の左右方向の位置を検出して、各カードケース１００をカード挿入口２１に対して位置決めするためのものである。これらセンサ８１０，８２０は、図示せぬステー等の支持部材を介してフレーム本体１１に固定されている。
【０１４１】
図１９および図２０に示すように、第２マガジンセンサ８２０は、マガジン２００の幅方向のほぼ中央に配されており、第１マガジンセンサ８１０は、第２マガジンセンサ８２０よりやや後方であって、第２マガジンセンサ８２０とサイドカバー１２との間の適宜な位置に配されている。
【０１４２】
そして、第１マガジンセンサ８１０は、マガジン２００に設けられた第１フラッグ９１０が通過することにより開閉し、第２マガジンセンサ８２０は、同じくマガジン２００に設けられた第２フラッグ９２０が通過することにより開閉するようになっている。これらフラッグ９１０，９２０は、左右方向に沿った長方形状の薄板であり、キャリッジガイド２２０の水平な上面に直交して、キャリッジガイド２２０に一体に立設されている。
【０１４３】
図２１に示すように、第１フラッグ９１０は単純な平板であり、キャリッジガイド２２０の右端から、キャリッジガイド２２０の幅方向中央よりもやや左側までの幅を有している。一方、第２フラッグ９２０は、等幅の６つの凸部９２１が等間隔をおいて左右方向に配列された櫛形状を呈しており、キャリッジガイド２２０の右端から、キャリッジガイド２２０の左端近くまでの幅を有している。各凸部９２１は、各カードケース１００のカード収納スペースの延長線上に突出しており、このように各カードケース１００に対応して形成された各凸部を、右側から順に１番凸部９２１ａ〜６番凸部９２１ｆと付す。
【０１４４】
図２１を参照して、各マガジンセンサ８１０，８２０および各フラッグ９１０，９２０による作用を説明する。なお、図２１では、第１マガジンセンサ８１０および第１フラッグ９１０の位置を判りやすくするために、これらの位置を実際よりも上方に描いている。
【０１４５】
各マガジンセンサ８１０，８２０が開の状態から、左右移動機構４００によってマガジン２００が左方向に移動していき、第１フラッグ９１０が第１マガジンセンサ８１０に入って該センサ８１０が閉になると、マガジン２００が停止する（図２１（ａ））。この時マガジン２００は最も左の初期位置に来たことになり、この初期位置で、６番カードケース１００Ｆが、カード挿入口２１に対して配置される。
【０１４６】
この状態から、マガジン２００が右方に移動していき、第１マガジンセンサ８１０が開になるとともに、第２マガジンセンサ８２０に第２フラッグ９２０の６番凸部９２１ｆが通過して閉・開が１回繰り返されると、マガジン２００は停止し、この時、５番カードケース１００Ｅがカード挿入口２１に配置される。
【０１４７】
なお、実際には、第２マガジンセンサ８２０の中央（光の透過ラインがある）に、６番凸部９２１ｆと５番凸部９２１ｅ間の中央が来るように、第２マガジンセンサ８２０が開になってから、ステップモータ４６０が所定ステップ回転して、若干マガジン２００を移動させるセンタリングが行われる。
【０１４８】
このように、マガジン２００の移動に伴って第２マガジンセンサ８２０が開から閉・開となるサイクルが１回繰り返され、さらに上記センタリングがなされることにより、カードケース１００は、順次カード挿入口２１に配置されていく。このカードケース１００のカード挿入口２１に対する位置決め動作は、マガジン２００が左右いずれの方向に移動する際にも行われる。
【０１４９】
図２１（ｂ）は、３番カードケース１００Ｃがカード挿入口２１に配置された状態を示している。また、図２１（ｃ）は、１番カードケース１００Ａがカード挿入口２１に配置された状態を示しており、この時が、マガジン２００が最も右に位置するものとなっている。
【０１５０】
本装置では、マガジン２００が空の状態から、初めにカードＣが収納されるのは１番カードケース１００Ａであり、複数のカードＣを保管する場合には、次いで、２番カードケース１００Ｂから６番カードケース１００Ｅにわたって、この配列順にカードＣが順次収納されていく。マガジン２００はこの配列順に左方に移動して、収納対象のカードケース１００がカード挿入口２１に配置されるのである。
【０１５１】
なお、図２に示すように、上記前側ブラケット４０には、カード挿入口２１に配置された収納対象のカードケース１００の番号を表示するインジケータ２５０が取り付けられている。このインジケータ２５０は、マガジン２００の左右移動に機械的に連動して、カードケース１００の番号（１〜６）を順次表示するものであり、文字板や目盛り等の手段が採用される。このインジケータ２５０で表示される番号（１番〜６番のカードケース１００のうちの１つを示す）は、図１に示すフロントカバー２０のカード挿入口２１よりも下に形成されたインジケータ窓２６を通して視認される。
【０１５２】
カードケース１００の番号を表示するインジケータとしては、ＬＥＤ等の電気的な表示手段も考えられるが、その場合には電気的な障害がカードＣやアンテナヘッド５００に与えられてしまうことが懸念される。ところが、上記のように機械的に作動するインジケータ２５０を採用することにより、そのような障害が起こらないという利点がある。
【０１５３】
カードＣは、カード挿入口２１に配置されてそこからアクセス位置に前進したカードケース１００内に挿入、収納され、その状態で、アンテナヘッド５００によりカードＣのＩＣチップＴへの読み書きが行われる。次に、そのアンテナヘッド５００を説明する。
【０１５４】
（Ｅ）アンテナヘッド
図２２に示すように、アンテナヘッド５００は、フレーム１０の右側内面に固定されたアンテナフレーム５０１内に保持されている。アンテナフレーム５０１は、略直方体状であって、マガジン２００側の壁部がマガジン２００方向（左方向、図２２では下方）にせり出しており、その平坦な突出先端部の内面に、アンテナヘッド５００が取り付けられている。
【０１５５】
アンテナヘッド５００は、カードＣのＩＣチップＴに対してデータの読み書きを行うアンテナパターンが形成された基板を主体としている。前述したように、ＩＣチップＴに近接することにより、データの読み書き（アクセス）を行い、アンテナパターンの中心より１〜２．５ｍｍの範囲が、通信によるアクセス可能範囲とされたものである。
【０１５６】
マガジン２００が右方に移動すると、アンテナフレーム５０１は、右側のサイドプレート２１０および各ケースプレート１１０に形成された通過孔２１１，１１３を相対的に通過するようになっている。このため、マガジン２００はアンテナフレーム５０１に当たって右方への移動を妨げられることがない。
【０１５７】
そして、カードケース１００内に収納されたカードＣは、通過孔２１１，１１３から露出しており、ＩＣチップＴがアンテナヘッド５００に対向する。カードＣを収納、保管するカードケース１００は、カード挿入口２１からサイドカバー１２側（アンテナヘッド５００の反対側）に並び、カードＣを収納しない空のカードケース１００は、通過孔１１３にアンテナフレーム５０１が入った状態となる。
【０１５８】
図２２では、３番カードケース１００Ｃから１番カードケース１００ＡにカードＣが収納されており、１番、２番のカードケース１００Ａ，１００Ｂが保管位置、３番カードケース１００Ｃが保管位置からアクセス位置に前進している。同図に示すように、アンテナヘッド５００は、アクセス位置にあるカードケース１００（３番カードケース１００Ｃ）内に収納されたカードＣのＩＣチップＴが近接する位置に配置されており、そのＩＣチップＴは、アンテナヘッド５００のアクセス可能範囲内に存在するようになっている。
【０１５９】
ここで、隣接するケースプレート１１０の間隔は、前述のごとく３ｍｍ程度であるから、収納されているカードＣ間の間隔も、概ね３ｍｍ程度となる。この距離は、アンテナヘッド５００のアクセス可能範囲を超えた距離であり、したがって、アクセス位置にあるカードＣに隣接するカードＣに対して、アンテナヘッド５００によるデータの読み書きはされない。
【０１６０】
また、アクセス位置にあるカードケース１００以外は、アクセス位置から後退した保管位置にあるので、アクセスする対象カードＣに隣接するカードＣは、アンテナヘッド５００から後方に位置してさらに離間することになるので、アクセス非対象カードＣのＩＣチップＴは、アンテナヘッド５００から確実にアクセス可能範囲外に存在することになる。
【０１６１】
（Ｆ）制御ユニット
図２に示すように、フレーム１０内の後部には、本装置の動作を制御する上記制御ユニット６００が配設されている。この制御ユニット６００は、図示しないＣＰＵ、ＲＯＭ、ＲＡＭ等を有している。この制御ユニット６００は、上記各センサから信号を受けるとともに、ＲＯＭに記憶されている制御プログラムにしたがってＣＰＵが作動することにより、各種の制御信号を出力して、前後移動機構３００、左右移動機構４００、アンテナヘッド５００およびカードリリース機構７００の動作を制御する。
【０１６２】
［２］カード処理装置の動作の具体例
以上により、本実施形態のカード処理装置の構成を、基本動作とともに説明したが、以下に、制御ユニット６００が制御することによってなされる本装置の具体的動作を、「電源投入時」、「カードＣの保管」、「保管したカードＣの発行」、「カードＣの取り出し」の順に説明する。
【０１６３】
（Ａ）電源投入時
電源投入時は、カードＣの保管状態（カードＣが何枚保管されているのか）が不明であるから、まず、カードＣが保管されているカードケース１００を探索する。ここでは、１番〜５番のカードケース１００Ａ〜１００Ｅ内にカードＣが保管され、６番カードケース１００Ｆが空である状況で説明する。なお、以下の説明では、カードケース１００の前後移動およびマガジン２００の左右移動は、それぞれ前後移動機構３００および左右移動機構４００によって行われることを自明とし、その旨の説明を省略する。
【０１６４】
アクセス位置には、電源投入前の最後にデータの読み書きが行われたカードＣが収納されていた空のカードケース１００（この場合、６番カードケース１００Ｆ）がある。電源が投入された旨を受けた制御ユニット６００は、まず、そのカードケース１００Ｆを保管位置に後退させた後、第１マガジンセンサ８１０によって第１フラッグ９１０を検出していることを確認する。すなわち、６番カードケース１００Ｆがカード挿入口２１に配置されている。
【０１６５】
なお、１番カードケース１００Ａ〜５番カードケース１００Ｅのいずれかがカード挿入口２１に配置されていた場合には、第１マガジンセンサ８１０が第１フラッグ９１０を検出していない。この場合には、第１マガジンセンサ８１０が第１フラッグ９１０を検出するまで、マガジン２００を左方に移動させる。
【０１６６】
次に、６番カードケース１００Ｆをアクセス位置に前進させる。カードセンサ７５によってカード無しが検出され、この後、６番カードケース１００Ｆを保管位置に後退させる。
【０１６７】
次に、第２マガジンセンサ８２０が第２フラッグ９２０の１つの凸部９２１（６番凸部９２１ｆ）を検出する、すなわち通過するまで、マガジン２００を右方に移動させる。これにより、５番カードケース１００Ｅがカード挿入口２１に配置される。次に、５番カードケース１００Ｅをアクセス位置に前進させる。
【０１６８】
すると、カードセンサ７５によってカード有りが検出され、さらに、カードロックセンサ８０によってカードＣが収納されていることが検出される。ここで、５番カードケース１００Ｅ内にカードＣが収納されていること、すなわち１番カードケース１００Ａ〜５番カードケース１００Ｅ内にカードが保管されていたことを認識する。この後、カードＣの保管枚数が５枚であることをＲＡＭに記憶する。
【０１６９】
続いて、５番カードケース１００Ｅを保管位置に後退させる。そして、マガジン２００を左方に移動させて６番カードケース１００Ｆをカード挿入口２１に配置させ、さらに、アクセス位置に前進させる。
【０１７０】
以上により、６番カードケース１００がアクセス対象カードケースとなり、ユーザーは、この６番カードケース１００Ｆ内にカードＣを挿入して収納する。そのカードＣに対し、必要に応じてアンテナヘッド５００により所定のデータを読み書きする。
【０１７１】
（Ｂ）カードの保管
次に、データの読み書きが行われたアクセス位置にあるカードＣを保管する場合を、１番〜２番のカードケース１００Ａ，１００Ｂ内にカードＣが保管され、３番カードケース１００Ｃがアクセス位置にある状況で説明する。
【０１７２】
制御ユニット６００がカード保管指令を受けると、３番カードケース１００Ｃを保管位置に後退させ、次に、第２マガジンセンサ８２０が第２フラッグ９２０の１つの凸部９２１（４番凸部９２１ｄ）を検出するまで、マガジン２００を左方に移動させる。これにより、４番カードケース１００Ｄがカード挿入口２１に配置される。
【０１７３】
次に、４番カードケース１００Ｄをアクセス位置に前進させる。すると、カードセンサ７５によってカード無しが検出され、これによって、３番カードケース１００Ｃ内のカードＣは保管されるとともに、４番カードケース１００ＤがカードＣの挿入を待機する状態となる。
【０１７４】
（Ｃ）保管したカードの発行
次に、上記のようにして保管された３番カードケース１００Ｃ内のカードＣを、ユーザーに発行する動作を説明する。制御ユニット６００がカード発行指令を受けると、４番カードケース１００Ｄを保管位置に後退させ、次に、第２マガジンセンサ８２０が第２フラッグ９２０の１つの凸部９２１（３番凸部９２１ｃ）を検出するまで、マガジン２００を右方に移動させる。これにより、３番カードケース１００がカード挿入口２１に配置される。
【０１７５】
次に、３番カードケース１００をアクセス位置に前進させる。すると、カードセンサ７５によってカード有りが検出される。これによって、３番カードケース１００内のカードは、アクセス位置において取り出しを待機する発行の状態となる。
【０１７６】
（Ｄ）カードの取り出し
ここでは、上記のようにして発行されたカードＣを、ユーザーが取り出せるようにする。制御ユニット６００がカード取り出し指令を受けると、カードリリース機構７００を解除動作させる。すなわち、ソレノイド７１０のアクチュエータロッド７１１を後退させる。すると、上側カードガイド１２０に対するロックレバー１５０の係合が外れ、上側カードガイド１２０が前方に移動し、カードＣがカード挿入口２１から飛び出すように排出される。この時、カードロックセンサ８０によってカード無しが検出される。
【０１７７】
以上により、ユーザーはカードＣを抜き取ることができる。カードＣが抜き取られると、カードセンサ７５によってカード無しが検出され、次いで、予め記憶していた保管カードが３枚と記憶していたＲＡＭに、カードＣが１枚減って保管カードが２枚になったことを記憶する。すなわち、新規カードの挿入と、保管カードの取り出しが行われるたびに、保管カードの枚数を更新する。このような更新がなされることにより、カードＣの保管枚数を容易に管理することができる。このようなカード枚数の認識方法により、例えばカード枚数を検出するセンサ等の機器が不要となる。
【０１７８】
［３］カード処理装置の効果
上記カード処理装置によれば、各カードケース１００のケースプレート１１０間の間隔が、アンテナヘッド５００のアクセス可能範囲を超えた間隔で配列されているので、カードケース１００内に収納される各カードＣも、同様に、アンテナヘッド５００のアクセス可能範囲を超えた距離で離間する。したがって、アクセス位置にあるカードＣに隣接するカードＣに対して、アンテナヘッド５００によるデータの読み書きはされない。また、通信干渉も起こらないので、読み書きの誤動作も発生しない。
【０１７９】
また、アクセス位置にあるカードケース１００以外は、アクセス位置から後退した保管位置にあるので、アンテナヘッド５００がアクセスする対象カードに隣接するカードＣは、アンテナヘッド５００から後方に位置し、さらに離間することになる。このため、アクセス非対象カードのＩＣチップＴは、アンテナヘッド５００から確実にアクセス可能範囲外に存在し、よって上記効果を確実に得ることができる。
【０１８０】
上記効果は、本発明に係る効果であるが、上記実施形態によれば、前述のように様々な効果が奏される。以下にそれらの効果を簡単に列挙する。
【０１８１】
（Ａ）カードケース１００内に収納されたカードＣが、カードシャッタ１４０の弾性片１４４ｂによって後方に弾性的に押されて保持されることにより、前後方向の位置決めが正確になされ、アンテナヘッド５００に対するＩＣチップＴの位置ずれが抑えられる。その結果、読み書き精度の向上が図られる。
【０１８２】
（Ｂ）カードケース１００のカードガイドを、上下のカードガイド１２０，１３０に分割し、上側カードガイド１２０のみを可動としたので、移動時にカードガイドに変形が生じず、カードＣの抜き差しを円滑に行うことができる。
【０１８３】
（Ｃ）カードケース１００内に収納されたカードＣの四隅がケースプレート１１０に押さえ付けられるので、変形したカードでも抜き差しが円滑に行われる。
【０１８４】
（Ｄ）アクセス位置にあるケースプレート１１０がアースばね５０に当接することにより、電気障害が起こりにくい。また、アースばね５０が弾性的にケースプレート１１０に当接するので、カードケース１００のガタが抑えられる。
【０１８５】
（Ｅ）アクセス位置にあるカードＣが詰まったりして排出されなくなった場合には、外部からピン７２０ａを作動させることによって強制的に取り出すことができる。また、保管されている全てのカードＣを、強制リリース機構９０によって外部から操作することにより強制的に取り出すことができる。
【０１８６】
（Ｆ）左右移動機構４００の下側駆動部４５０にスリップ機構４７０を介在させたことにより、高負荷がステップモータ４６０にかからず、損傷を防止することができる。
【０１８７】
（Ｇ）上下の駆動部４１０，４５０により、マガジン２００を左右移動させる時に駆動力がマガジン２００全体に均等にかかり、円滑に左右移動させることができる。
【０１８８】
（Ｈ）マガジンセンサ８１０，８２０によってフラッグ９１０，９２０をそれぞれ検出しながら、マガジン２００を左右移動させてカードケース１００をカード挿入口２１に配置させるので、高い精度でカードケース１００をカード挿入口２１に対して位置決めさせることができる。
【０１８９】
（Ｉ）カードケース１００の番号を表示するインジケータ２５０が、マガジン２００の左右移動に機械的に連動するものとしたので、このインジケータ２５０の作動時に電気障害が起こらない。
【０１９０】
（Ｊ）保管カードの枚数を制御ユニット６００が記憶するように構成したので、カードＣの保管枚数を容易に管理することができるとともに、そのためのセンサ等の機器が不要となる。
【０１９１】
（Ｋ）アクセス状態において、カードケース１００が適宜に離間した３点で左右方向への移動が規制されることで、カードケース１００をアクセス位置に高い精度で位置決めすることができるとともに、カード挿入口２１に対しても正確に位置決めすることができる。
【図面の簡単な説明】
【０１９２】
【図１】本発明の一実施形態に係るカード処理装置の全体斜視図である。
【図２】一実施形態に係るカード処理装置の内部構造を示す左側面図であって、カード保管状態を示す。
【図３】図２の状態から１つのカードケースがアクセス位置に前進した状態を示す図である。
【図４】カードを収納し、保管位置にあるカードケースを示す右側面図である。
【図５】カードを収納し、アクセス位置にあるカードケースを示す右側面図である。
【図６】上側カードガイドが待ち受け位置にある状態のカードケースを示す右側面図である。
【図７】（ａ）はマガジンの上面図、（ｂ）はマガジンの右側面図、（ｃ）は７ｃ矢視図、（ｄ）は７ｄ矢視図である。
【図８】（ａ）は主にマガジンおよび左右移動機構を示す左側面図、（ｂ）は８ｂ矢視図である。
【図９】前後移動機構を示す図であって、（ａ）は平面図、（ｂ）は該機構の凸部とカードケースを示す平面図、（ｃ）は左側面図である。
【図１０】図９の状態からカードケースを前進させた状態を示す図である。
【図１１】前後移動機構の正面図である。
【図１２】装置内の前端上部の平面図であって、ケースプレートが上側ガイドプレートのスリットに嵌入した状態を示す。
【図１３】（ａ）は装置内の前端下部の下面図、（ｂ）は（ａ）の状態からケースプレートが下側ガイドプレートのスリットに嵌入した状態を示す。
【図１４】サブシャッタの下面図であって、（ａ）は閉状態、（ｂ）は開状態を示す。
【図１５】カード検出機構の下面図であって、（ａ）はカード検出フラッグが閉状態、（ｂ）は開状態を示す。
【図１６】強制リリース機構の平面図であって、（ａ）は非動作時、（ｂ）は動作時を示す。
【図１７】強制リリース機構の平面図であって、図１６とカードの保管枚数が異なる場合を示し、（ａ）は非動作時、（ｂ）は動作時を示す。
【図１８】（ａ）は左右移動機構を構成する下側駆動部が具備するスリップ機構の側面図、（ｂ）はその分解図である。
【図１９】（ａ）は左右移動機構を構成する上側駆動部の平面図、（ｂ）は下側駆動部の一部を示す平面図であって、いずれもマガジンが最も右側に移動した状態を示す。
【図２０】図１９の状態からマガジンを最も左まで移動させた状態を示す。
【図２１】左右移動機構によって左から右に移動するマガジンの位置がマガジンセンサで検出される状態を（ａ）〜（ｃ）の順に示す正面図である。
【図２２】アンテナヘッドとカードケースとの位置関係を示す平面図である。
【符号の説明】
【０１９３】
２１…カード挿入口、１００…カードケース、１１３…カードケースの孔、
２００…マガジン、５００…アンテナヘッド、Ｃ…カード。
【図１】
2006236274.tif 000003
【図２】
2006236274.tif 000004
【図３】
2006236274.tif 000005
【図４】
2006236274.tif 000006
【図５】
2006236274.tif 000007
【図６】
2006236274.tif 000008
【図７】
2006236274.tif 000009
【図８】
2006236274.tif 000010
【図９】
2006236274.tif 000011
【図１０】
2006236274.tif 000012
【図１１】
2006236274.tif 000013
【図１２】
2006236274.tif 000014
【図１３】
2006236274.tif 000015
【図１４】
2006236274.tif 000016
【図１５】
2006236274.tif 000017
【図１６】
2006236274.tif 000018
【図１７】
2006236274.tif 000019
【図１８】
2006236274.tif 000020
【図１９】
2006236274.tif 000021
【図２０】
2006236274.tif 000022
【図２１】
2006236274.tif 000023
【図２２】
2006236274.tif 000024